【手続補正書】
【提出日】令和2年11月12日(2020.11.12)
【手続補正１】
【補正対象書類名】明細書
【補正対象項目名】全文
【補正方法】変更
【補正の内容】
【発明の詳細な説明】
【発明の名称】両軸受リール
【技術分野】
【０００１】
本発明は、釣り用リール、特に両軸受リールに関する。
【背景技術】
【０００２】
両軸受リールには、スプールの回転に連動して作動する機械式カウンタを備えたものがある（特許文献１参照）。機械式カウンタは、リール本体に装着されたケース部材に収容されている。ケース部材には、透明なレンズが接着固定されており、レンズを介してカウンタの数値を視認することができる。
【先行技術文献】
【特許文献】
【０００３】
【特許文献１】特開２００４−２１５５３１号公報
【発明の概要】
【発明が解決しようとする課題】
【０００４】
機械式カウンタでは、ケース部材の内部に水が侵入すると、レンズが曇ってしまい、カウンタの数値が見え辛くなることがある。また、レンズが汚れた場合も、カウンタの数値が見え辛くなる。このような場合において、特許文献１に記載の両軸受リールでは、ケース部材にレンズが接着固定されているため、ケース部材からレンズを取り外して、レンズの曇りや汚れを取り除くことが難しい。また、レンズが損傷したときに、レンズのみを取り換えることが難しく、レンズと一緒にケース部材も併せて交換する必要がある。
【０００５】
本発明の課題は、機械式カウンタの数値を視認するためのレンズの曇りや汚れを容易に取り除けるようにすることにある。
【課題を解決するための手段】
【０００６】
（１）本発明の一側面に係る両軸受リールは、リール本体と、スプールと、スプール軸と、機械式のカウンタと、ケース部材と、レンズと、を備えている。スプールは、リール本体に回転可能に設けられている。スプール軸は、スプールを支持する。機械式のカウンタは、スプールの回転に連動して数値が変化する。ケース部材は、リール本体に設けられ、カウンタの数値を視認可能な開口部を有している。レンズは、ケース部材に着脱可能に装着され、ケース部材の開口部を覆う。
【０００７】
この両軸受リールでは、カウンタの数値を視認可能な開口部を覆うレンズが、ケース部材に着脱可能に装着されている。これにより、レンズに曇りや汚れが発生した場合には、ケース部材からレンズを取り外して、レンズの曇りや汚れを容易に取り除くことが出来る。また、レンズが損傷した場合には、レンズのみの交換が可能であり、レンズが損傷したときの費用を抑えることができる。
【０００８】
（２）好ましくは、ケース部材は、レンズが装着される装着溝と、装着溝にレンズを挿入するための挿入口と、を有している。この場合は、ケース部材にレンズを容易に装着することができる。
【０００９】
（３）好ましくは、挿入口は、スプール軸の軸方向に開口して設けられ、装着溝は、挿入口から軸方向に延びて設けられている。
【００１０】
（４）好ましくは、ケース部材は、リール本体から軸方向外側に延びて設けられ、リール本体側からカウンタを収容するための収容口をさらに有し、レンズは、ケース部材の収容口側からケース部材に装着される。この場合は、収容口からレンズをケース部材に装着することができるため、レンズを挿入するための挿入口を収容口と兼ねることができる。
【００１１】
（５）好ましくは、ケース部材の収容口を塞ぐカバー部材をさらに備えている。この場合は、カバー部材をケース部材から取り外すことで、ケース部材からレンズを容易に取り外すことができる。
【００１２】
（６）好ましくは、カバー部材は、レンズの移動を規制する規制部を有している。
【００１３】
（７）好ましくは、レンズの移動を規制するとともに、ケース部材の挿入口を塞ぐ蓋部材をさらに備えている。
【００１４】
（８）好ましくは、カウンタを含むカウンタユニットをさらに備え、レンズは、カウンタユニットに着脱可能に装着されている。この場合は、カウンタユニットを取り外すことで、カバー部材からレンズを容易に取り外すことができる。
【００１５】
（９）好ましくは、リール本体は、フレーム、フレームの第１側を覆う第１側カバー、及び第１側と反対の第２側を覆う第２側カバー、を有し、第１側においてリール本体に回転可能に設けられたハンドルをさらに備え、ケース部材は、リール本体の前記第２側の側面上部に設けられている。
【００１６】
（１０）好ましくは、ケース部材は、リール本体の第２側カバーと一体に設けられている。
【００１７】
（１１）好ましくは、レンズは、防曇処理が施されている。この場合は、ケース部材の内部に水が侵入した場合でもレンズが曇りにくい。
【００１８】
（１２）好ましくは、防曇処理は、レンズに親水性を有するフィルムを貼付する。
【発明の効果】
【００１９】
本発明によれば、ケース部材からレンズを取り外すことができるため、レンズの曇りや汚れを容易に取り除くことができる。
【図面の簡単な説明】
【００２０】
【図１】本発明の一実施形態が採用された両軸受リールの斜視図。
【図２】ケース部材、レンズ及びカバー部材の分解斜視図。
【図３】ケース部材の平面図。
【図４】カウンタユニットの内部構造を示す図。
【図５】他の実施形態に係る図２に相当する図。
【図６】他の実施形態に係るケース部材、レンズ、及び蓋部材の分解斜視図。
【図７】他の実施形態に係るカウンタユニットの斜視図。
【発明を実施するための形態】
【００２１】
以下の説明において、釣りを行うときに、釣糸が繰り出される方向を前、その反対方向を後という。また、左右とは、両軸受リール１００を後方から見たときの左右をいう。また、両軸受リール１００を構成する各部材の右側を第１側、左側を第２側として説明することがある。また、スプール軸１０（図２参照）が延びる方向を軸方向という。
【００２２】
本発明の一実施形態を採用した両軸受リール１００は、釣り糸を前方に繰り出し可能である。両軸受リール１００は、図１及び図２に示すように、リール本体２と、スプール３と、ハンドル４と、カウンタユニット２０と、ケース部材３０と、カバー部材４０と、を備えている。
【００２３】
リール本体２は、フレーム６と、第１側カバー７ａと、第２側カバー７ｂと、を有している。フレーム６は、第１側板６ａと、第２側板６ｂと、複数の連結部６ｃと、を有している。
【００２４】
第１側板６ａは、フレーム６の右側に配置されている。第２側板６ｂは、第１側板６ａと軸方向に間隔を隔てて、フレーム６の左側に配置されている。複数の連結部６ｃは、軸方向に延びて第１側板６ａと第２側板６ｂとを連結している。
【００２５】
第１側カバー７ａは、フレーム６の第１側板６ａの右側方を覆う。第２側カバー７ｂは、フレーム６の第２側板６ｂの左側方を覆う。
【００２６】
スプール３は、第１側板６ａと第２側板６ｂとの間でリール本体２に回転自在に支持されている。詳細には、スプール３は、スプール３の中央を軸方向に貫通するスプール軸１０（図２参照）に支持されている。本実施形態では、スプール３は、スプール軸１０に固定されており、スプール軸１０と一体的に回転する。スプール軸１０は、リール本体２に配置された図示しない１対の軸受を介して、リール本体２に回転可能に支持されている。
【００２７】
ハンドル４は、リール本体２の第１側（右側）に回転自在に設けられている。ハンドル４の回転は、図示しない回転伝達機構を介して、スプール３に伝達される。回転伝達機構は、従来と同様の構成であるため説明を省略する。
【００２８】
カウンタユニット２０は、リール本体２の第２側板６ｂ側の側面上部に設けられている。カウンタユニット２０は、図２乃至図４に示すように、支持部材２１と、カウンタ駆動機構２２と、カウンタ２３と、を有している。
【００２９】
支持部材２１は、第２側カバー７ｂに固定されている。支持部材２１は、軸方向に延びて、カウンタ駆動機構２２を支持している。
【００３０】
カウンタ駆動機構２２は、スプール３の回転をカウンタ２３に伝達する。カウンタ駆動機構２２は、図２乃至図４に示すように、スプール軸１０と一体回転する入力ギア１１から、第１ウォームシャフト１２、第２ウォームシャフト１３、カウンタ回転軸１４、及びカウンタ回転軸１４と一体回転する従動ギア１５を介してカウンタ２３にスプール３の回転を伝達する。第１ウォームシャフト１２及びカウンタ回転軸１４は、スプール軸１０に対して平行に配置されている。第２ウォームシャフト１３は、第１ウォームシャフト１２及びカウンタ回転軸１４と直交する方向に配置されている。第１ウォームシャフト１２、第２ウォームシャフト１３、及びカウンタ回転軸１４は、支持部材２１に回転可能に支持されている。なお、カウンタ駆動機構２２の詳細については従来と同様の構成であるため説明を省略する。
【００３１】
カウンタ２３は、機械式であり、スプール３の回転に連動して数値が変化する。詳細には、カウンタ２３は、複数の円板部２３ａを有している。複数の円板部２３ａは、カウンタ回転軸１４に回転可能に支持されている。複数の円板部２３ａは、例えば、０から９までの数値が外周面に周方向に並んで設けられている。本実施形態では、カウンタ回転軸１４の右側から順に、第１円板部２３ｂ、第２円板部２３ｃ、第３円板部２３ｄの３つの円板部が設けられている。複数の円板部２３ａは、従動ギア１５からの回転が伝達される図示しない複数の回転部材を介して、第１円板部２３ｂが１回転すると、第２円板部２３ｃが１コマ回転し、第２円板部２３ｃが１回転すると、第３円板部２３ｄが１コマ回転するように構成されている。なお、カウンタ２３は、カウンタユニット２０に設けられたリセットスイッチ２４により数値のリセットが可能である。
【００３２】
ケース部材３０は、リール本体２に設けられている。ケース部材３０は、本実施形態では、リール本体２の第２側（左側）の側面上部に、リール本体２の第２側カバー７ｂと一体に設けられている。また、ケース部材３０は、有底筒状であり、軸方向外側に延びて設けられている。ケース部材３０は内部空間を有し、内部空間にはカウンタ２３が収容されている。ケース部材３０は、図２に示すように、開口部３０ａ、収容口３０ｂと、装着溝３０ｃと、挿入口３０ｄと、を有している。
【００３３】
開口部３０ａは、ケース部材３０の上面に上下方向に貫通して設けられている。開口部３０ａは、矩形であり、軸方向に長く形成されている。開口部３０ａからは、ケース部材３０に収容されたカウンタ２３の数値が視認可能である。
【００３４】
開口部３０ａは、ケース部材３０に着脱可能に装着された透明なレンズ２５によって覆われている。開口部３０ａからは、レンズ２５を介してカウンタ２３の数値が視認可能である。レンズ２５は、防曇処理が施されている。防曇処理は、例えば、レンズ２５のカウンタ２３に対向する面に親水性を有するフィルムを貼付する。
【００３５】
レンズ２５は、レンズ本体部２５ａと、装着部２５ｂと、を有している。レンズ本体部２５ａは、開口部３０ａから露出する部分であり、上方に向けて円弧状に突出している。装着部２５ｂは、レンズ本体部２５ａから前後左右の四方に平板状に延びている。
【００３６】
収容口３０ｂは、図２に示すように、リール本体２側からカウンタ２３を収容するために設けられている。詳細には、収容口３０ｂは、ケース部材３０の第１側を軸方向に開口して設けられ、収容口３０ｂからカウンタ２３がケース部材３０に収容される。
【００３７】
装着溝３０ｃは、開口部３０ａの内周部に凹んで設けられた溝であり、この装着溝３０ｃにレンズ２５が装着される。詳細には、装着溝３０ｃは、開口部３０ａの内周部を軸方向に延びて設けられている。また、装着溝３０ｃは、開口部３０ａの第２側において前後方向に延びて設けられている。装着溝３０ｃにレンズ２５の装着部２５ｂが嵌め込まれている。
【００３８】
挿入口３０ｄは、装着溝３０ｃにレンズ２５を挿入するための入口であり、軸方向に開口して設けられている。本実施形態では、収容口３０ｂが挿入口３０ｄの構成を兼ねている。レンズ２５は、収容口３０ｂ側から装着溝３０ｃに挿入され、これによりレンズ２５がケース部材３０に装着されている。
【００３９】
カバー部材４０は、図２及び図３に示すように、ケース部材３０の収容口３０ｂを塞ぐ部材であり、第２側カバー７ｂに固定されている。カバー部材４０は、規制部４０ａと、押さえ部４０ｂと、を有している。規制部４０ａは、軸方向外側に向かって突出する突起であり、先端がレンズ２５の第１側の側面２５ｃに接触する。この規制部４０ａによりレンズ２５の軸方向の移動が規制されている。押さえ部４０ｂは、規制部４０ａの上部から軸方向外側に突出して設けられている。押さえ部４０ｂは、レンズ２５の第１側において、レンズ２５の装着部２５ｂの上方に被さるようにして配置され、装着部２５ｂを押さえている。この押さえ部４０ｂにより、レンズ２５のガタツキを抑制することができる。
【００４０】
上記構成の両軸受リール１００では、レンズ２５が、ケース部材３０に着脱可能に装着されているため、レンズ２５に曇りや汚れが発生した場合には、ケース部材３０からレンズ２５を取り外して、レンズ２５の曇りや汚れを容易に取り除くことが出来る。また、レンズ２５が損傷した場合には、レンズ２５のみの交換が可能であり、レンズ２５が損傷したときの費用を抑えることができる。また、レンズ２５のカウンタ２３に対向する面には防曇処理として親水性を有するフィルムが貼付されており、ケース部材３０の内部に水が侵入した場合でもレンズ２５が曇りにくい。
【００４１】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態は必要に応じて任意に組合せ可能である。
【００４２】
（ａ）前記実施形態では、ケース部材３０の第１側に挿入口３０ｄを設けていたが、挿入口３０ｄの位置はこれに限定されるものではない。例えば、図５及び図６に示すように、ケース部材１３０の第２側に挿入口１３０ｄを設けて、ケース部材１３０の第２側からレンズ２５を着脱可能にケース部材１３０に装着するように構成してもよい。
【００４３】
詳細には、ケース部材１３０の挿入口１３０ｄは、軸方向に開口して設けられている。装着溝１３０ｃは、挿入口１３０ｄから開口部１３０ａの内周部を軸方向に延びて設けられている。ケース部材１３０の挿入口１３０ｄは、ケース部材１３０の第２側に設けられた蓋部材５５により塞がれている。蓋部材５５は、ねじ等の固定手段でケース部材１３０の第２側に固定されている。蓋部材５５は、図６に示すように、レンズ２５の第２側の装着部２５ｂが係止される係止溝５５ａを有しており、蓋部材５５によりレンズ２５の移動が規制される。すなわち、レンズ２５の第２側の装着部２５ｂは、ケース部材１３０から軸方向外側に突出するように配置されている。なお、図５及び図６では、前記実施形態と同様の構成については、同一の符号を付している。また、開口部が形成される位置によっては、前記実施形態のように規制部４０ａを蓋部材５５に設けてもよい。
【００４４】
（ｂ）前記実施形態では、ケース部材３０の開口部３０ａの内周部に装着溝３０ｃを設けていたが、図７に示すように、例えば、カウンタユニット２２０の支持部材２２１に装着溝２２１ａを設けて、レンズ２５をカウンタユニット２２０に着脱可能に装着してもよい。なお、この場合、カウンタユニット２２０は、ケース部材３０に設けられた溝などの装着部に係合して、ケース部材３０に着脱可能に装着される。
【００４５】
（ｃ）前記実施形態では、ケース部材３０を第２側カバー７ｂと一体に設けていたが、ケース部材３０と第２側カバー７ｂとを別々に設けてもよい。この場合、例えば、第２側板６ｂと第２側カバー７ｂとの軸方向間に設けられた機構装着板にケース部材３０を一体に設けてもよい。
【符号の説明】
【００４６】
２  リール本体
３  スプール
４  ハンドル
６  フレーム
７ａ  第１側カバー
７ｂ  第２側カバー
１０  スプール軸
２０  カウンタユニット
２３  カウンタ
２５  レンズ
３０  ケース部材
３０ａ  開口部
３０ｂ  収容口
３０ｃ  装着溝
３０ｄ  挿入口
４０  カバー部材
４０ａ  規制部
５５  蓋部材
１００  両軸受リール